(57)【要約】【課題】矩形をなす養生シートでバルコニーを容易かつ確実に覆う。【解決手段】両側部Ｃａが上側シート部１２ａと下側シート部１２ｂとされている養生シートＣであり、上側シート部１２ａと下側シート部１２ｂとがスライドファスナー１４の開け閉めによって分離され又は接続され得るようにしてあり、養生シートＣの上端縁部１０ｄを該バルコニーＢの上方の外壁３０側に取り付け、該バルコニーＢを覆うように該養生シートＣの下端縁部１０ｅを該手すり用起立部５０の下部側５０”に留め付け、かつ、前記スライドファスナー１４の開きだしにより上側シート部１２ａから分離された下側シート部１２ｂで、該バルコニーＢの両側にある手すり用起立部５０を覆い、張り込まれるシート部１０ａから下方に垂らされる前記上側シート部１２ａで該手すり用起立部５０上を塞ぐように折り重ね状態に留め付ける。【選択図】図１
2007309024.tif 000002
【特許請求の範囲】
【請求項１】
バルコニーの上方における建築物の外壁側に上端縁部を取り付けられてバルコニーを覆うように用いられる矩形をなすバルコニー養生シートであって、
この養生シートにおける両側部が、その側縁端から他方側端縁に向けて上端縁に平行な線分に沿って分離された上側シート部と下側シート部とされており、
しかも、この互いに隣り合う上側シート部と下側シート部とがスライドファスナーの開け閉めによって分離され、又は、接続され得るようにしてあり、
前記バルコニーにおける外壁面に平行な手すり用起立部に対応する前記養生シートの上端縁部を該バルコニーの上方の外壁側に取り付けると共に該バルコニーを覆うように該養生シートの下端縁部を該手すり用起立部の下部側に留め付けるように張り込み得ると共に、
前記スライドファスナーの開きだしにより上側シート部から分離された下側シート部で、該バルコニーの両側にある前記外壁面に直交する向きの手すり用起立部を外側から覆い、かつ、前記外壁側と外壁面に平行な手すり用起立部との間に張り込まれるシート部から下方に垂らされる前記上側シート部で該手すり用起立部上を塞ぐように折り重ね状態に該上側シート部を留め付け得るようにしてあることを特徴とするバルコニー養生シート。
【請求項２】
前記養生シートが複数枚のシートからなり、一方のシートの側端縁と他方のシートの側端縁に備えられるスライドファスナーの開け閉めによって、当該シートを分離し、又は、接続し得るようにしてあることを特徴とする請求項１に記載のバルコニー養生シート。
【請求項３】
前記養生シートが透明シート部を備えていることを特徴とする請求項１又は請求項２に記載のバルコニー養生シート。
【請求項４】
前記養生シートが周縁部に当該養生シートの取付手段を備えていることを特徴とする請求項１、請求項２又は請求項３に記載のバルコニー養生シート。
【請求項５】
前記取付手段が、養生シートの周縁部に備えられている孔に挿通される紐と、この孔の一方側にある紐端に備えられている引っ掛け具と、前記孔の他方側にある紐部分に該孔より大きくかつ該紐を挿通可能かつ保持可能なコードロックを備えていることを特徴とする請求項４に記載のバルコニー養生シート。
【発明の詳細な説明】
【技術分野】
【０００１】
この発明は、バルコニー床の防水施工等に際して張設されるバルコニーの養生シートの改良に関する。
【背景技術】
【０００２】
バルコニーは、外壁面から張り出し状態に備えられていることから雨風等の自然環境に直接晒される構造物であることから、耐候性や充分な雨仕舞い処理等、その仕上げ施工にバルコニー特有の条件が求められることがある。
【０００３】
しかしながら、バルコニーは、通例、建築物本体部分に対して、大きく外側に張り出された構造をなしており、例えば、外壁仕上げに伴う養生のためのシート掛けでは、バルコニーを都合よく覆うには難があり、バルコニーの防水施工等に際して防水処理面に対して雨水が侵入する等の不具合を生じたり、また、当該養生シート内における作業空間がバルコニーの仕上げ施工に充分でない等の不具合があった。
【０００４】
また、バルコニーの仕上げ処理と外壁の仕上げ処理等は、一連の手順でなされる必要があり、バルコニー床の防水等の仕上げに都合のよい気象条件を待っていては、各工程が順次に狂い、作業日程を組むことができなくなる。
【０００５】
複雑に入り組む建築物の仕上げ処理にあっては、多くの熟練者を、各現場の進捗に合わせて、確実に手配する必要があり、作業日程通りにバルコニーの防水処理等の仕上げ処理をする必要があった。
【０００６】
かかる点から、建造物の築造に際して、前もって、全天候タイプの作業空間を各種シートで構成したり、テントによって構成するようにしていた（例えば、特許文献１）。
【０００７】
【特許文献１】特開平７−２４７６９７号公報
【発明の開示】
【発明が解決しようとする課題】
【０００８】
このように建築現場に構造物の建築作業空間を構成することは、建築物の建築工程管理や、品質管理等において、多くの効果が認められるものの、個々の建築現場毎に、かかる建築作業空間を前もって構成することは現実的でなく、期待される効果に対して建築コストが極端に高くなり、また、施工期間も長くなる等の不具合がある。
【０００９】
この発明は、かかるバルコニーの構造的な特異性を考慮して、バルコニーにおける養生を確実になし、バルコニーの仕上げ施工に伴って作業工程に支障をもたらさないようにした養生シートを提供するものである。
【課題を解決するための手段】
【００１０】
この発明は、前記課題を解決するために、バルコニーの上方における建築物の外壁側に上端縁部を取り付けられてバルコニーを覆うように用いられる矩形をなすバルコニー養生シートであって、
この養生シートにおける両側部が、その側縁端から他方側端縁に向けて上端縁に平行な線分に沿って分離された上側シート部と下側シート部とされており、
しかも、この互いに隣り合う上側シート部と下側シート部とがスライドファスナーの開け閉めによって分離され、又は、接続され得るようにしてあり、
前記バルコニーにおける外壁面に平行な手すり用起立部に対応する前記養生シートの上端縁部を該バルコニーの上方の外壁側に取り付けると共に該バルコニーを覆うように該養生シートの下端縁部を該手すり用起立部の下部側に留め付けるように張り込み得ると共に、
前記スライドファスナーの開きだしにより上側シート部から分離された下側シート部で、該バルコニーの両側にある前記外壁面に直交する向きの手すり用起立部を外側から覆い、かつ、前記外壁側と外壁面に平行な手すり用起立部との間に張り込まれるシート部から下方に垂らされる前記上側シート部で該手すり用起立部上を塞ぐように折り重ね状態に該上側シート部を留め付け得るようにしてあることを特徴とするバルコニー養生シートとしてある。
【００１１】
このように構成されるバルコニー養生シートは、矩形の極めてシンプルな構成とされ、これを安価に提供し得ると共に、搬入、組み付け、取り外し、折り畳み、搬出、管理等が、いたって容易とされる。
【００１２】
また、このように構成される養生シートにあっては、複数種の規格寸法の養生シートを用意する必要がなく、スライドファスナーの開閉幅によって、各種寸法のバルコニーに対して充分なフィット感をもって組み付けることができ、養生に都合のよいシートの張り空間を構成することができる。
【００１３】
また、このように構成される養生シートにあっては、スライドファスナーを開き出すことによって、シートの両側部に、互いに分離される上側シート部と下側シート部とを作り出し、この各シート部を、他方シート部に影響されることなく張設したり、折り込み状態に絞り込むことができ、シートを構造物に対して、手軽に、よりよくフィットするように処理することができる。
【００１４】
ついで、前記構成に係るバルコニー養生シートにあって、前記養生シートを複数枚のシートで構成し、一方のシートの側端縁と他方のシートの側端縁に備えられるスライドファスナーの開け閉めによって、当該シートを分離し、又は、接続し得るように構成した養生シートでは、前記特長に併せて、バルコニーの横幅寸法に合わせて、適宜シートを接続一体として、各バルコニーの横幅に都合よく適合する横幅を備えた養生シートを構成でき、バルコニーの大きさに合わせて個別に養生シートを用意する必要がない。
【００１５】
更に、前記構成に係る養生シートにあって、前記養生シートが透明シート部を備えている構成としたバルコニー養生シートでは、前記特長に併せて、養生シートの張られたバルコニー内部における防水施工等の各種作業が容易にかつ快適になし得る養生空間を構成することができる。
【００１６】
また、前記構成に係る養生シートにあって、前記養生シートが周縁部に当該養生シートの取付手段を備えている構成のバルコニー養生シートでは、前記特長に併せて、当該養生シートを建築中の建築物の外壁材、庇材、軒材や、バルコニーの構成材等に対して、別段に取付手段を用意することなく、バルコニーの養生に都合のよい形態に当該養生シートの取り付けをなすことができる。
【００１７】
更に、前記構成に係る養生シートにあって、前記取付手段を、養生シートの周縁部に備えられている孔に挿通される紐と、この孔の一方側にある紐端に備えられている引っ掛け具と、前記孔の他方側にある紐部分に該孔より大きくかつ該紐を挿通可能かつ保持可能なコードロックを備えた構成とすることによって、前記特長に併せて、当該養生シートを、より円滑、かつ、確実に養生対象バルコニーに設けることができる。
【発明の効果】
【００１８】
この発明に係るバルコニー養生シートは、矩形のシンプルな構成からなるシートを用いてバルコニーを都合よく覆うことができ、バルコニーにおける、例えば、防水処理等の各種作業時に要請される養生等に効果的に対応することができ、各種形態のバルコニーに対して都合よくフィットした状態に養生シートを張設けることが可能とされて確実な養生を、簡易な構成で、かつ、簡便な手段によってなし得ると共に、養生シートの張設時におけるばたつきが無く、かつ、養生シートの搬入、組み付け、取り外し、折り畳み、搬出及び保管を容易になすことができる。
【発明を実施するための最良の形態】
【００１９】
以下、図１〜図１３にもとづいて、この発明を実施するための最良の形態に係るバルコニー養生シートについて説明する。
【００２０】
なお、ここで図１は、当該発明を実施するための最良の形態に係る典型的な養生シートＣを展開して、前側から見て示しており、図２では、この養生シートを建築物ＡのバルコニーＢ部分に装着した状態を、図３では、これを壁部分を断面して上方から見て、図４〜図６は、かかる養生シートをバルコニーＢを覆うように取り付けている各工程を斜め上方から見て、図７は、当該養生シートＣを建築物Ａに取り付ける典型的な取付手段２０を正面側から見て示している。また、図８では、当該養生シートＣの両側部Ｃａにあって、上側シート部１２ａと下側シート部１２ｂとに分離したり、接続させる手段であるスライドファスナー１４を備えるシートの断面図を、図９では、当該養生シートＣを建築物Ａに備え付ける他の適用例を示している。
【００２１】
また、図１０では、当該養生シートＣを他の形態からなるバルコニーＢに取り付けた状態を壁部分を断面して上方から見て示している。
【００２２】
更に、図１１及び図１２は、他の形態からなるバルコニーＢに対する当該養生シートＣの適用例を示しており、図１１では、養生シートＣを装備したバルコニーＢ部分を斜め上方から見て、更に、図１２では壁部分を断面して、これを上方から見て示している。
【００２３】
図１３は、当該養生シートＣの、更に、他の実施例を示すものであって、その展開された構成シートを分離して、要部を示している。
【００２４】
この発明に係るバルコニー養生シートＣは、バルコニーＢの上方における建築物Ａの外壁３０側に上端縁部１０ｄを取り付けられてバルコニーＢを覆うように用いられる矩形をなすバルコニー養生シートＣであって、
この養生シートＣにおける両側部Ｃａ、Ｃａが、その側縁端１０ｆ”から他方側端縁１０ｆ’に向けて上端縁１０ｄに平行な線分に沿って分離された上側シート部１２ａと下側シート部１２ｂとされており、
しかも、この互いに隣り合う上側シート部１２ａと下側シート部１２ｂとがスライドファスナー１４の開け閉めによって分離され、又は、接続され得るようにしてあり、
前記バルコニーＢにおける外壁面３０ａに平行な手すり用起立部５０に対応する前記養生シートＣの上端縁部１０ｄを該バルコニーＢの上方の外壁３０側に取り付けると共に該バルコニーＢを覆うように該養生シートＣの下端縁部１０ｅを該手すり用起立部５０の下部側５０”に留め付けるように張り込み得ると共に、
前記スライドファスナー１４の開きだしにより上側シート部１２ａから分離された下側シート部１２ｂで、該バルコニーＢの両側にある前記外壁面３０ａに直交する向きの手すり用起立部５０を外側から覆い、かつ、前記外壁３０側と外壁面３０ａに平行な手すり用起立部５０との間に張り込まれるシート部１０ａから下方に垂らされる前記上側シート部１２ａで該手すり用起立部５０上を塞ぐように折り重ね状態に該上側シート部１２ａを留め付け得るようにしてある。
【００２５】
なお、ここで用いられる養生シートＣは、前記構成を備えて、前記態様で用い得るものであれば、いかなる素材によって構成してあってもよく、単一素材からなるものであっても、また、複合素材からなるものであってもよい。また、透明、半透明、不透明等、いかなる性状のシートであってもよく、例えば、外部から透視し難いシート地であって、かつ、透光性を有するシート等によって構成することができる。かかる養生シートＣは、例えば、建築現場において用いられている各種養生シートＣ、テント用生地、テント覆いとして用いられるタープ生地等を用いて構成することができる。
【００２６】
なお、本明細書においてバルコニーＢは、建築物Ａの外壁３０から張り出し状態に備えられる床を備えた構造物であって、所謂、ベランダと称されるものを含む概念である。
【００２７】
また、この養生対象とされるバルコニーＢは、前記養生シートＣをもって覆い得る構成のものであれば、いかなる形態のバルコニーであっても、また、いかなる素材によって構成してあってもよく、例えば、外壁３０から張り出し状態に備えられる平面視で矩形をなすバルコニーＢ、外壁３０の出隅部分にあって、この出隅を巡るように平面視でＬ字状に屈曲するバルコニーＢ等、種々の形態のバルコニーを対象とすることができる。
【００２８】
また、この養生シートＣの張設されるバルコニー手すりは、バルコニー床４０から起立されて手すり機能を備えるものであれば、フィンス状のバルコニー手すりであっても、腰壁状のバルコニー手すりであっても、パネル状のバルコニー手すりであっても、さらには、これらの複合された各種形態のバルコニー手すりであってもよく、また、完成されたバルコニー手すりであっても、未完成の、所謂仕掛かり状態にあるバルコニー手すりであってもよい。
【００２９】
また、この養生シートＣの取り付け対象物及び取付手段は、当該養生シートＣを用いて対象バルコニーＢを都合よく覆って、バルコニーＢを各目的に対応した養生状態になし得るものであれば、いかなる取付対象物であっても、また、いかなる取付手段であってもよい。例えば、建築物Ａにおける躯体構成手段、壁構成手段、小屋構成手段、庇構成手段、屋根構成手段、バルコニー構成手段、足場その他の作業用の各種構成手段、養生シート用の各種構造手段等の、当該シートを目的とする養生に都合のよい態様に取り付け得るものであれば、いかなるものであってもよく、また、これらの対象物に養生シートＣを張り込むための取付手段は、かかる取付対象物に都合よくシートを目的とする養生を達成し得る態様に取り付け得るものであれば、いかなるものであってもよく、例えば、紐、チェーン、フック、ヒートン等の各種の取付手段を単体で、又は、複数で用いることができる。
【００３０】
このように構成されるバルコニー養生シートＣは、矩形の極めてシンプルな構成とされ、これを安価に提供し得ると共に、搬入、組み付け、取り外し、折り畳み、搬出、管理等が、いたって容易とされる。
【００３１】
また、このように構成される養生シートＣにあっては、複数種の規格寸法の養生シートＣを用意する必要がなく、スライドファスナー１４の開閉幅によって、各種寸法のバルコニーＢに対して充分なフィット感をもって組み付けることができ、養生に都合のよいシートの張り空間を構成することができる。
【００３２】
なお、ここでスライドファスナー１４を開きだした際に、このスライドファスナー１４の開きだし幅が、バルコニーＢにおける壁面３０ａに直交している手すり用起立部５０ｂの出寸法よりも広い場合、このスライドファスナー１４で開き出された下側シート部１２ｂを当該バルコニーＢの外側面Ｂａに沿うように折り返して当該下側シート部１２ｂを重ね合わせの状態にしてバルコニーＢに適宜の取付手段２０を用いて添装状態に取り付け、また、上側シート部１２ａは、必要に応じて、折返し状態にして、バルコニーＢの手すり用起立部５０ｂの上端５０’上を塞ぐように折り畳み状態にして用いる。
【００３３】
また、このように構成される養生シートＣにあっては、スライドファスナー１４を開き出すことによって、養生シートＣの両側部Ｃａ、Ｃａに、互いに分離される上側シート部１２ａと下側シート部１２ｂとを作り出し、この各シート部を、他方シート部に影響されることなく張設けたり、折り込み状態に絞り込むことができ、養生シートＣを建築物Ａに対して、手軽に、よりよくフィットするように処理することができる。
【００３４】
また、前記構成に係るバルコニー養生シートＣにあって、前記養生シートＣを複数枚のシートＣ、Ｃ…Ｃで構成し、一方のシートＣの側端縁１０ｆ’と他方のシートＣの側端縁１０ｆ’に備えられるスライドファスナー１６、１７の開け閉めによって、当該シートＣを分離し、又は、接続し得るように養生シートＣを構成することによって、バルコニーＢの横幅寸法に合わせて、適宜シートＣを接続一体として、各バルコニーＢの横幅に都合よく適合する横幅を備えた養生シートＣを構成することができ、バルコニーＢの大きさに合わせて個々に養生シートＣを用意する必要がない。
【００３５】
また、前記構成に係る養生シートＣにあって、前記養生シートＣが透明シート部１５を備えている構成としたバルコニー養生シートＣでは、養生シートＣの張られたバルコニー内部における防水施工等の各種作業が容易にかつ快適になし得る養生空間を構成することができる。
【００３６】
また、前記構成に係る養生シートＣにあって、前記養生シートＣが周縁部に当該養生シートＣの取付手段２０を備えているバルコニー養生シートＣでは、当該養生シートＣを建築中の建築物Ａの壁材、庇材、軒材や、バルコニーの構成材等に対して、別段に取付手段を用意することなく、バルコニーＢの養生に都合のよい形態に当該養生シートＣの取り付けをなすことができる。
【００３７】
また、前記構成に係る養生シートＣにあって、前記取付手段２０を、養生シートＣの周縁部に備えられている孔１３に挿通される紐２１と、この孔１３の一方側にある紐２１端に備えられている引っ掛け具２２と、前記孔１３の他方側にある紐２１部分に該孔１３より大きくかつ該紐２１を挿通可能かつ保持可能なコードロック２３を備えた構成とすることによって、当該養生シートＣを、より円滑、かつ、確実に養生対象バルコニーＢに張設けることができる。
【００３８】
ついで、図示例に係るバルコニー養生シートＣについて、更に具体的に説明する。
【００３９】
この図示例に係るバルコニー養生シートＣは、バルコニーＢの上方における建築物Ａの外壁３０側に上端縁部１０ｄを取り付けられてバルコニーＢを覆うように用いられる矩形をなすバルコニー養生シートＣであって、
この養生シートＣにおける両側部Ｃａ、Ｃａが、その側縁端１０ｆ”から他方側端縁１０ｆ’に向けて上端縁１０ｄ’に平行な線分に沿って分離された上側シート部１２ａと下側シート部１２ｂとされており、
しかも、この互いに隣り合う上側シート部１２ａと下側シート部１２ｂとがスライドファスナー１４の開け閉めによって分離され、又は、接続され得るようにしてあり、
前記バルコニーＢにおける外壁面３０ａに平行な手すり用起立部５０ａに対応する前記養生シートＣの上端縁部１０ｄを該バルコニーＢの上方の外壁３０側に取り付けると共に該バルコニーＢを覆うように該養生シートＣの下端縁部１０ｅを該手すり用起立部５０の下部側５０”に留め付けるように張り込み得ると共に、
前記スライドファスナー１４の開きだしにより上側シート部１２ａから分離された下側シート部１２ｂで、該バルコニーＢの両側にある前記外壁面３０ａに直交する向きの手すり用起立部５０ｂを外側から覆い、かつ、前記外壁３０側と外壁面３０ａに平行な手すり用起立部５０ａとの間に張り込まれるシート部１０ａから下方に垂らされる前記上側シート部１２ａで該手すり用起立部５０ｂ上を塞ぐように折り重ね状態に該上側シート部１２ａを留め付け得るように構成してある。
【００４０】
ここで用いられる養生シートＣを、更に、具体的に説明する。この養生シートＣは、典型的には一枚の矩形シート１０によって構成してある（図１参照）。この矩形シート１０は、バルコニーＢの養生用に張設された際に、風等によって裂け出したりすることのない強靱なシート材によって構成してあり、典型的には、張設された当該矩形シート１０の構成する内側空間における施工作業に都合のよい採光条件を備えたものとして、例えば、透光性を有するシート材によって構成される。
【００４１】
この矩形シート１０は、バルコニーＢの両側にあって、外壁３０から外方に向けて持ち出されるバルコニーＢにおける外壁面３０ａに直交する向きにある手すり用起立部５０ｂ、５０ｂの側を覆う手段として用いられる側部シート部１２を、その両側部Ｃａ、Ｃａに備えており、この両側部Ｃａ、Ｃａ間にあるベースシート部１１を建築物Ａの外壁３０側と外壁面３０ａに平行な手すり用起立部５０ａとの間に張り込まれる張り込みシート部１０ａと、該手すり用起立部５０ａの外面を覆う添装シート部１０ｂとされる上側ベースシート部１１ａ及び下側ベースシート部１１ｂとして備えている。
【００４２】
かかる矩形シート１０は、例えば、当該矩形シート１０における横幅を、９１０ｍｍに所定の自然数を乗じた寸法となるように構成する。例えば、この矩形シート１０における両側部Ｃａ、Ｃａにある側部シート部１２を９１０ｍｍ×２の横幅寸法に構成し、ベースシート部１１を９１０ｍｍ×４の横幅寸法を備える要に構成することで、各施工現場におけるバルコニーＢに都合よくフィットする養生シートＣを構成することができる。
【００４３】
例えば、図１に示される養生シートＣを図３に示されるバルコニーＢを覆う手段として用いる場合、この養生シートＣにおける両側部Ｃａ、Ｃａにあるスライドファスナー１４，１４を下止１４ｂまで開きだし、かつ、分離された上側シート部１２ａと下側シート部１２ｂとを、図４に示されるように、それぞれ二重になるように裏側に折返し重ね合わせて、ベースシート部１１を手すり用起立部５０ａに、この折り重ねた下側シート部１２ｂを手すり用起立部５０ｂにそれぞれフィットするように被装して用いる。また、図１に示される養生シートＣを図７に示されるバルコニーＢ、又は、図１１及び図１２に示されるバルコニーＢを覆う手段として用いる場合には、この養生シートＣにおける両側部Ｃａ、Ｃａにあるスライドファスナー１４，１４を、その開き出し幅の半分相当を開きだし、かつ、これによって分離された下側シート部１２ｂを手すり用起立部５０ｂの外側面に、また、この開きだしスライドファスナー１４，１４間にあるシート部分を手すり用起立部５０ａの外側面にそれぞれフィットするように被装させて用いる。
【００４４】
かかる矩形シート１０は、その両側部Ｃａ、Ｃａ部分を、その側縁端１０ｆ”から他方の側端縁１０ｆ’に向けて当該矩形シート１０における上端縁１０ｄ’に平行な線分に沿って分離された上側シート部１２ａと下側シート部１２ｂとしてあり、この上側シート部１２ａの下端縁１２ａ’と下側シート部１２ｂの上端縁１２ｂ’とにスライドファスナー１４を構成する互いに噛み合うエレメントを備えるテープを設け、このスライドファスナー１４の開け閉めによって、当該下側シート部１２ｂと上側シート部１２ａとを一連に連続した状態にしたり、分離して各別に取り扱え得るようにしてあり、当該矩形シート１０における側縁端１０ｆ”側を上止１４ｂとし、ベースシート部１１側に下止１４ａが位置づけられるように設けてあり、しかも、この矩形シート１０における表側、すなわち、当該矩形シート１０を用いてバルコニーＢの養生をなした際に、外側になる面に当該スライドファスナー１４を覆うカバー１４ｃを備えた構成としてある。
【００４５】
かかる矩形シート１０に備えられるスライドファスナー１４は、前記張り込みシート部１０ａを構成する上側ベースシート部１１ａと、添装シート部１０ｂを構成する下側ベースシート部１１ｂとの境界線上に位置づけられるように設けてあり、このベースシート部１１の下側ベースシート部１１ｂと、側部シート部１２の下側シート部１２ｂとが、一連に連続してバルコニーＢの手すり用起立部５０の外側面に添装されて、当該手すり用起立部５０の外側面を覆うように張設し得る構成としてある。
【００４６】
かかる構成の矩形シート１０にあって、その外周縁部と、前記スライドファスナー１４の開け閉めによって接続、分離される上側シート部１２ａの下縁端１２ａ’部分及び下側シート部１２ｂの上縁端１２ｂ’部分に、所定間隔毎に取付手段２０を設けてある。この取付手段２０は、施工対象や施工方法等によって最適な取付手段２０が当該矩形シート１０に備えられる。
【００４７】
この図示例にあっては、当該取付手段２０の典型例として紐２１を用いた取付手段２０を示してある。この図示例の取付手段２０は、前記矩形シート１０の前記外周縁部と前記下縁端１２ａ’部分及び上縁端１２ｂ’部分とに設けた紐２１の挿通用孔１３としての鳩目孔１３ａと、この孔１３に挿通されている紐２１と、この挿通用孔１３の一方側にある紐２１に備えられている引っ掛け具２２としてのなす環２２ａと、この孔２１の他方側にある紐２１に備えられている紐固定具としてのコードロック２３とで構成してある。
【００４８】
かかる取付手段２０にあっては、なす環２２ａを備える紐２１を外壁３０側にある引っ掛け対象物、例えば、木摺下地パネル３２ａ等の壁下地材３２、間柱、梁、軒垂木、架設足場材、シート架設材等の適宜の対象物を巡るように廻すと共に、なす環２２ａを該紐２１に引っ掛けてループ部を構成し、ついで、前記コードロック２３に挿通されている紐２１を絞り、このコードロック２３を孔１３の周面部をなす矩形シート１０面に押しつけるようにして、当該矩形シート１０を引っ掛け対象物に対して必要間隔となるまで接近させて養生シートＣを養生対象バルコニーＢに都合のよい態様に張り込み得る構成としてある（図７参照）。
【００４９】
かかる紐２１の締め込みに用いられる紐固定具は、いかなる構成のものであってもよく、この図示例では、典型的なコードロック２３を示している。この図示例に係るコードロック２３は、前記孔１３より大きく当該孔１３に引っ掛かる大きさであって、一端側が解放されている外筒２３ａ内に付勢手段２３ｃによって常時外方に突き出す向きに付勢された状態に摺動軸２３ｂを嵌め入れてあり、この摺動軸２３ｂを前記付勢に抗して外筒２３ａの内方に押し入れた際に、相互に連通状態とされる紐通孔２３ｄを備えており、この紐通孔２３ｄに挿通されている紐２１は、通常、前記付勢で突き出し方向に押動されている摺動軸２３ｂの孔２３ｄと外筒２３ａの孔２３ｄとのずれによって、その移動が阻止されており、この付勢に抗した当該摺動軸２３ｂの押し込み操作によって当該阻止が解かれて、自由に移動し得る構成としてある。なお、この図示例に係るコードロック２３にあっては、前記付勢手段２３ｃの付勢によって摺動軸２３ｂが外筒２３ａから抜け出さないように、外筒２３ａに引っ掛け孔を、摺動軸２３ｂに当該孔に対して摺動軸２３ｂが突き出し方向に移動した際に引っ掛かる弾性掛合片を設けてある。
【００５０】
また、この養生シートＣを構成する矩形シート１０に適宜位置に透明シート部１５からなる透明窓１５ａが設けてあり、この養生シートＣ内に適度の外光の取り込みと、情報の取り込みを可能として、当該養生シートＣ内における各種の動作性を良好としている。
【００５１】
かかる養生シートＣの取り付け用いられるバルコニーＢは、前記記載の通り、いかなる態様のものであってもよく、この図示例にあっては、平面視で矩形、より具体的には長方形状に構成されて建築物Ａにおける外壁３０から外方に持ち出し状態に備えられた構成としてある。
【００５２】
すなわち、外壁３０に備えられている開口３３の屋外側にあって床面を連続するように張り出し設けられているバルコニー床４０と、このバルコニー床４０の周縁部から起立するように当該バルコニー床４０を囲むように備えられているバルコニー手すり用起立部５０とを備えて柱５５上に構成してある。
【００５３】
かかるバルコニーＢに対する防水施工は、通例、バルコニーＢや外壁３０における仕上げ処理前に施され、その養生を待って、当該バルコニーＢや外壁３０の化粧仕上げを施すようにしてあり、この図示例に係るバルコニーＢにあっても、当該バルコニーＢの化粧仕上げ前の状態で、養生シートを張設して、バルコニー床４０等における防水処理をなすようにしてある。
【００５４】
この結果、この図示例にあっては、バルコニーＢを構成する手すり用起立部５０が、笠木、手すりバー、腰壁化粧材等を備えていない状態で示されている。
【００５５】
この図示例に係るバルコニーＢでは、バルコニー床４０の前端縁に沿って、外壁面３０ａに平行に備えられる手すり用起立部５０ａを備えていると共の、この手すり用起立部５０ａと外壁３０との間に、当該外壁面３０ａに直交する向きに突き出す手すり用起立部５０ｂ、５０ｂを備え、この手すり用起立部５０ｂ−５０ａ−５０ｂを一連に連続すように設けてあって、平面視でコの字状をなすように当該手すり用起立部５０を備えた構成としてある。
【００５６】
また、開口３３を備えた外壁３０は、柱３１の外側に壁仕上げ用の木摺下地パネル３２ａを張り付け、開口３３に開口枠３３ａを設け、下側にある開口枠３３ａにいたるバルコニーＢの立ち上がり部分に壁パネル３２ｂを、更に、その外側にボード材３２ｃを添装状態に備え付けて仕上げてある。
【００５７】
また、バルコニー床４０は、床パネル４１上に勾配付断熱パネル４２を、更に、この断熱パネル４２上に防水シート４３を張設けてある。また、手すり用起立部５０には間柱５１に笠木下地材５２を取り付け、かつ、当該間柱５１の外側面と内側面とに壁パネル５３を添装状態に設けてあり、更に、バルコニー床４０からの立ち上がり部分にボード材５４を添装状態に設けてある。
【００５８】
この図示例に係るバルコニーＢは、当該バルコニーＢにおける出寸法、すなわち、建築物Ａの外壁面３０ａからの突き出し幅に対して、当該バルコニーＢの横幅寸法、すなわち、外壁面３０ａに沿った向きの幅寸法が倍の幅となるように構成してある。
【００５９】
かかるバルコニーＢの養生に用いられる矩形シート１０は、まず、この矩形シート１０におけるベースシート部１１における上端縁部１０ｄを、前記手すり用起立部５０ａに向き合う外壁３０の壁下地材３２、この図示例にあっては、木摺下地パネル３２ａに対して平行に取り付ける。
【００６０】
この矩形シート１０の取り付けは、張設けられる養生シートＣにおける張り込みシート部１０ａが所要の傾斜角を備え得るように、当該バルコニーＢの上方にある外壁３０の木摺下地パネル３２ａに紐２１を回し込んで前方に引き出し、その引き出し端に備えられているなす環２２ａを当該紐２１に引っ掛けるようにして、ループを作り出して取り付け、ついで、孔１３から引き出されている紐２１を引き絞って、コードロック２３を養生シートＣにおけるシート面に押しつけるようにして、当該養生シートＣの上端縁１０ｄ’を前記木摺下地パネル３２ａに接近させた状態に留め付ける。
【００６１】
このように上端縁部１０ｄを外壁３０の側に取り付けられた養生シートＣでバルコニーＢを覆うと共に、前記手すり用起立部５０ａの上端５０’から外手すり用起立部５０ａの下部側５０”に案内された当該養生シートＣにおけるベースシート部１１の下端縁部１０ｅを前記取付手段２０で当該バルコニーＢ等に必要なテンションを加えた状態で取り付けて、当該養生シートＣにおけるベースシート部１１の張り込みをなし、構成される養生シートＣにおける張り込みシート部１０ａと添装シート部１０ｂとを構成する。
【００６２】
なお、前記養生シートＣの張り込みにおいて、ベースシート部１１における上側ベースシート部１１ａと下側ベースシート部１１ｂとの境界線部分が前記手すり用起立部５０ａの上端５０’に位置づけられるようにしてあり、この張り込み養生シートＣにおける両側部Ｃａ、Ｃａに備えられているスライドファスナー１４を下止１４ａ位置まで開き出す。図１に示される養生シートＣは、側部Ｃａの幅寸法を図２〜図６に示されるバルコニーＢにおける出寸法、すなわち、手すり用起立部５０ｂの出幅の倍幅に構成してあり、このスライドファスナー１４を下止１４ａまで開けた状態で、上側シート部１２ａの側方に延びる先端側を裏側に折り返して二重にし、また、下側シート部１２ｂの側方に延びる先端側を裏側に折り返して二重にし、この下側シート部１２ｂを外壁面３０ａから直交するように突き出し備えられている手すり用起立部５０ｂの外側の面に都合よく添装状態に取り付け、必要なテンションを生ずるように張設する。
【００６３】
なお、この下側シート部１２ｂの手すり用起立部５０ｂに対する添装状態での取り付けは、前記下側ベースシート部１１ｂに対する連接側を除く、当該下側シート部１２ｂの周側部に備えられている取付手段２０を用いて前記ベースシート部１１の取り付けと同一手法によって行うことができる。
【００６４】
なお、この下側シート部１２ｂの取り付けに際して開き出されるスライドファスナー１４の開き幅は、前記手すり用起立部５０ａと、これに連続される手すり用起立部５０ｂとを、前記下側ベースシート部１１ｂと前記下側シート部１２ｂとで緩み無く覆い得るに都合のよい幅となるように調整して開き出される。
【００６５】
なお、この養生シートＣの張り付けに際して、養生対象バルコニーＢに前記紐２１を回し込み取り付け得る対象物が存在しない場合等にあっては、このバルコニーＢの構成材に対して、各種の取付手段、例えば、ヒートン２４等の適宜の取付手段２０を用意し、これに紐２１を引っ掛けるようにしてあってもよい。
【００６６】
ついで、前記張設シート部１０ａから下方に垂れている上側シート部１２ａを用いて、当該手すり用起立部５０ｂの上方を塞ぐように、この上側シート部１２ａを適宜寄せ付けるように重ね合わせた折り重ねシート部１０ｃとし、これを、例えば、当該折り重ねシート部１０ｃの下端部を取付手段２０でバルコニーＢや外壁３０に引っ張り状態にして留め付けて、張設シート部１０ａから上側シート部１２ａをテンションを掛けた状態で留め付ける。
【００６７】
かかる上側シート１２ａは、例えば、前記ベースシート部１１における上端縁部１０ｄに連続している上側シート１２ａの上端縁部１０ｄを（二重に折り返されたままの状態、又は、折り返すことなく一重の状態で）、外壁面３０ａに沿って垂下状態にし、この垂下状態にある上端縁部１０ｄを木摺下地パネル３２ａ等に紐２１等の取付手段２０で留め付け、これによって、当該外壁３０等に留め付けられた上端縁部１０ｄと前記張り込みシート部１０ａとの間に生じたシートのたわみ部分を、例えば、上側シート部１２ａにおける下縁端１２ａ’と側端縁１０ｆ’との交差する隅部を側方に引き出すようにして、余分なシート部分を外壁３０方向、又は、屋外方向のいずれかに折入れるようになすと共に、前記隅部を下方に引き絞るようにして、この折入れたシート部分を押さえつけるように、当該隅部をバルコニーＢ、外壁３０等に留め付けて、養生シートＣにおける両側部Ｃａ、Ｃａのおり付け処理をなす。
【００６８】
なお、前記養生シートＣにおける下端縁部１０ｅは、これをバルコニーＢの底面側に、例えば、ヒートン等をねじ入れ用意して、これに留め付けるようにしてあってもよいが、例えば、この一連に連続される下端縁部１０ｅを、前記取付手段２０の紐２１等を用いて絞り込むようにして、バルコニーＢの底面側に引っ掛けて、当該養生シートＣを張設するようにしてあってもよい。かかる養生シートＣの張設にあっては、一つの取付手段２０を構成する紐２１に備えられているなす環２２ａを、側方に備えられている他の取付手段２０の紐２１に引っ掛け、このなす環２２ａの引っ掛けられた紐２１を更に側方に備えられている他の取付手段２０を構成する紐２１に引っ掛けるように、順次に連結し、各紐２１を各コードロック２３を用いて引き絞ることによって、当該養生シートＣにおける下端縁部１０ｅをバルコニーＢの底面側において、当該底面の内側に位置づけるように絞り込んでバルコニーＢに引っ掛けてあってもよい。
【００６９】
このように構成される養生シートＣにあっては、バルコニーＢに対して養生シートＣが密着状態に備え付けることができ、内部に作業性のよい空間を構成し得るとともに、雨水等の吹き込みを避けることができ、バルコニーＢにおける防水層６０、例えば、前記断熱パネル４２、ボード材３２ｃ、５４等を乾燥状態に維持しながら、これらの上にＦＲＰ防水層６０’等の防水層を確実かつ安全に設けることができ、また、これらの防水層６０としてのＦＲＰ防水層６０’等を雨水等から効果的に保護することができる。
【００７０】
また、バルコニーＢにおける養生が不要になった際には、前記コードロック２３による紐２１の絞り込みを緩め、かつ、なす環２２ａを各紐２１から解放して建築物Ａから取り外し、スライドファスナー１４を上止１４ｂ位置まで閉めることによって、取り外し養生シートＣを、一枚の矩形シート１０として、これを折り畳んだり、丸め込む等適宜の方法で梱包することができ、回収、搬送、保管を容易になすことができる。
【００７１】
かかるバルコニーＢの防水施工後、当該手すり用起立部５０に化粧パネル等の化粧材の備え付け、笠木の備え付け、手すりバーの備え付け等、各種必要処理を施してバルコニー手すりとして完成する。また、当該バルコニーＢに連続されている外壁３０の仕上げ処理を施す。
【００７２】
ついで、図１０に示されるバルコニーＢに対する前記養生シートＣの適用例についいて説明する。
【００７３】
この図示例に係るバルコニーＢは、前記図２〜図９に示されるバルコニーＢのなす矩形平面に対して、その横幅、すなわち、外壁面３０ａに沿った向きの幅を２倍にした長方形平面をなすバルコニーＢとしてあって、前記養生シートＣにおける側部シート部１２を折返すことなく、当該バルコニーＢを覆うように建築物Ａに張設けるようにしてある。すなわち、ここで養生シートＣで養生対象とされるバルコニーＢは、建築物Ａの外壁面３０ａから直角に突き出すバルコニーＢの突き出し幅に対して、当該外壁面３０ａに平行な向きの幅が４倍の幅寸法をなすように構成してある。
【００７４】
すなわち、この図示例に係るバルコニーＢを覆って備えられる養生シートＣは、前記図１に示される養生シートＣにおけるスライドファスナー１４を、上止１４ｂか下止１４ａに向けて、ほぼ半分ほど開きだした状態で用意し、この養生シートＣにおけるベースシート部１１と、開き出されたスライドファスナー１４によって分離された下側シート部１２ｂを除く他の下側シート部１２ｂとをバルコニーＢにおける手すり用起立部５０ａに、かつ、このスライドファスナー１４で開き出された下側シート部１２ｂを手すり用起立部５０ｂに、それぞれ緩み無く添装して、これを前記図２〜図９に示される養生シートＣの張り込みと同一の手法で、バルコニーＢを覆うように建築物Ａに対して取り付けて、バルコニーＢの養生をなす。
【００７５】
ついで、図１１及び図１２に示されるバルコニーＢに対して前記養生シートＣの適用例を説明する。
【００７６】
この図１１及び図１２に示されるバルコニーＢは、建築物Ａにおける出隅に沿って備えられるバルコニーＢであって、一対の長方形の一辺側をはすに接続して、直角に屈曲した一連に連続するバルコニーＢとして構成してあり、矩形シート１０の取り付けに際して、建築物Ａの出隅部分において養生シートＣの上端縁部１０ｄ側を適宜絞り込むことによって、前記養生シートＣの取り付けと同様に、当該養生シートＣをバルコニーＢに張り込み用いることができる。
【００７７】
この図示例にあっては、バルコニーＢに備えられる手すり用起立部５０が、当該バルコニーＢの両側部において外壁３０から当該壁面３０ａに直交する向きに突き出されている手すり用起立部５０ｂ、５０ｂと、この各手すり用起立部５０ｂ、５０ｂ間にわたって備えられる手すり用起立部５０ａとを備えており、このバルコニーＢの前端縁に沿って備えられている手すり用起立部５０ａが、外壁面３０ａに平行とされており、しかも、この外壁面３０ａに向き合っている手すり用起立部５０ａ’と手すり用起立部５０ａ’との間にあって、外壁面３０ａに向き合わずに前記手すり用起立部５０ｂに向き合っている手すり用起立部５０ａ”とで構成してあり、この一連に連続されている手すり用起立部５０ａの横幅を、前記手すり用起立部５０ｂにおける出幅のほぼ４倍に構成してある。
【００７８】
かかる構成のバルコニーＢに対して、前記図１に示される養生シートＣを、その両側部Ｃａ、Ｃａにあるスライドファスナー１４、１４を、それぞれ二分の一相当分開き出して、このスライドファスナー１４で開き出された下側シート部１２ｂを前記手すり用起立部５０ｂに添装するようになし、かつ、当該養生シートＣにおける下側ベースシート部１１ｂ及びスライドファスナー１４で上側シート部１２ａと接続されている下側シート部１２ｂとを手すり用起立部５０ａに添装するようにして、前記図２〜図１０で示された養生シートＣの張り込みと同様の方法で当該養生シートＣをバルコニーＢを覆うように建築物Ａに張り込むことによって、当該養生シートを緩み無く当該バルコニーＢに備え付けることができる。
【００７９】
この図示例に係るバルコニーＢに備えられる養生シートＣは、両側部Ｃａ、Ｃａに側部シート１２を備える矩形シート１０であって、ベースシート部１１が、上側ベースシート部１１ａと、下側ベースシート部１１ｂとを備えており、この下側ベースシート部１１ｂが前記手すり用起立部５０ａの外側面を覆う形状、寸法を備えるものとしてある。また、この矩形シート１０における上端縁部１０ｄにおける両側部分であって、前記手すり用起立部５０ａ’に向き合う部分が建築物Ａの外壁３０の側に取り付けられており、この外壁３０側に取り付けられている上端縁部１０ｄ、１０ｄ間にある当該矩形シート１０における上端縁部１０ｄ部分が外壁３０側に取り付けられることなく、折り畳み、寄せ集め等適宜の手法でまとめられて建築物Ａにおける出隅部分に取り付けられるようにしてある。
【００８０】
かかる矩形シート１０における上端縁部１０ｄのまとめつけは、例えば、前記バルコニーＢの底面側に廻した下端縁部１０ｅの絞り込みと同様にして、矩形シート１０のほぼ中央に位置する取付手段２０に対して、側方に位置づけられている各取付手段２０における紐２１を前記と同様にループ状にし、このループ状とされる各取付手段２０における紐２１に対して、側方に位置する取付手段２０の紐２１にあるなす環２２ａを引っ掛け、このなす環２２ａを備える紐２１に、更に側方にある取付手段２０の紐２１にあるなす環２２ａを引っ掛けるように順次に連結し、かつ、これらの紐２１をコードロック２３を用いて絞り込み、当該出隅部分にある矩形シート１０における上端縁部１０ｄを、この建築物Ａにおける出隅部分に引き付け、絞り込むようにして、当該矩形シート１０を、Ｌ字状平面をなすバルコニーＢに対して装着してもよく、また、図示例のように、外壁面３０ａに向き合っている手すり用起立部５０ａ’、５０ａ’に対応する当該養生シートＣにおける上端縁部１０ｄを外壁３０の側に取り付けて養生シートＣを図１１のように張り込み、建築物Ａの出隅部分において前方に撓み出すシート部分１０ｄの上側の先端部分を取付手段２０を用いて外壁３０の側に締め込むようにして養生シートＣの張り込みをなすようにしてあってもよい。
【００８１】
かかる状態で、両側部Ｃａ、Ｃａにある側部シート部１２をスライドファスナー１４を操作することによって、上側シート部１２ａと、下側シート部１２ｂとに分離し、前記図２〜図１０に示される養生シートＣの張り込みと同一の手法でバルコニーＢを覆うように建築物Ａに備え付け用いることができる。
【００８２】
ついで、図１３に示される他の典型的な養生シートＣについて説明する。
この図示例に係る養生シートＣは、前記図１に示される養生シートＣを複数枚連続させて一枚の養生シートＣとして用いる態様を示したものであって、この養生シートＣを構成する各矩形シート１０、この図示例にあっては、第一矩形シート１０’と第二矩形シート１０”とは、いずれも図１に示されている矩形シート１０に対して、各矩形シート１０相互を接続し、又は、離脱するためのスライドファスナー１６、１７を設けた以外の構成を前記図１に示した矩形シート１０の構成と同一の構成の矩形シート１０’、１０”としてあり、同一の方法で用いられる。
【００８３】
この第一の矩形シート１０’と第二の矩形シート１０”との分離可能な接続手段は、互いに接続される上側シート部１２ａ、１２ａに備えられるスライドファスナー１６と、互いに接続される下側シート部１２ｂ、１２ｂに備えられるスライドファスナー１７とで構成してある。
【００８４】
この第一の矩形シート１０’と第二の矩形シート１０”とを、互いに接続、又は、分離するスライドファスナー１６は、この第一の矩形シート１０’の上側シート部１２ａと、第二の矩形シート１０”の上側シート部１２ａとの互いに向きあう側端縁１０ｆ’、１０ｆ’に、互いに噛み合うエレメントを備える対をなすテープ１６ａ、１６ｂを備え付けることによって構成してある。
また、第一の矩形シート１０’と第二の矩形シート１０”とを、互いに接続、又は、分離するスライドファスナー１７は、この第一の矩形シート１０’の下側シート１２ｂと、第二の矩形シート１０”の下側シート１２ｂとの、互いに向きあう側端縁１０ｆ’、１０ｆ’に互いに噛み合うエレメントを備える対をなすテープ１７ａ、１７ｂを備え付けることによって構成してある。
【００８５】
かかる第一の矩形シート１０’と第二の矩形シート１０”とを接続、分離するスライドファスナー１６とスライドファスナー１７は、養生シートＣを、より容易いに、かつ、簡易に構成するために、各矩形シート１０における両側部Ｃａ、Ｃａにある各上側シート部１２ａの側端縁１０ｆ’、１０ｆ’に、互いに噛み合うエレメントを備えるテープ１６ａ、１６ｂを左右に同一の順序に備え付け、また、各矩形シート１０における両側部Ｃａ、Ｃａにある各下側シート部１２ｂの側端縁１０ｆ’、１０ｆ’に、互いに噛み合うエレメントを備えるテープ１７ａ、１７ｂを左右に同一の順序に備え付けることによって、複数の矩形シート１０、１０…を順次に必要枚数、接続し、また、必要に応じて分離して用いることができる。なお、これらの各スライドファスナー１６、１７の歯合部分を外側から覆うカバー１６ｃ、１７ｃを備えるように、前記矩形シート１０の一方側にある上側シート部１２ａと下側シート部１２ｂの各側端縁１０ｆ’に該カバー１６ｃ、１７ｃを備え付けた構成としてある。
【００８６】
このように複数枚の矩形シート１０を、必要に応じて接続して用い、また、必要に応じて分離して用い得る構成とすることによって、複数の大きさの異なる矩形シートを前もって用意する不具合をなくし、かつ、各大きさのバルコニーＢに対して、前記図２〜図１２における養生シートＣと同一の手法で当該バルコニーＢを覆うように養生シートＣを備え付け用いることができる。
【図面の簡単な説明】
【００８７】
【図１】典型的な養生シートの展開正面図
【図２】同使用状態を示す要部縦断面図
【図３】同要部平断面図
【図４】同装着の一過程を示す斜視図
【図５】同装着の他の一過程を示す斜視図
【図６】同装着の更に他の一過程を示す斜視図
【図７】同取り付け要部の正面図
【図８】同シートの縦断面図
【図９】同シートの他の取り付け例を示す要部正面図
【図１０】他のバルコニーに用いた状態の平断面図
【図１１】更に他のバルコニーに用いた状態の斜視図
【図１２】同平断面図
【図１３】他の典型的な養生シートの要部を示す正面図
【符号の説明】
【００８８】
Ｂ  バルコニー    
Ｃ  養生シート
１２ａ  上側シート部
１２ｂ  下側シート部
１４  スライドファスナー
３０  外壁
３０ａ  外壁面
５０  手すり用起立部
【図１】
2007309024.tif 000003
【図２】
2007309024.tif 000004
【図３】
2007309024.tif 000005
【図４】
2007309024.tif 000006
【図５】
2007309024.tif 000007
【図６】
2007309024.tif 000008
【図７】
2007309024.tif 000009
【図８】
2007309024.tif 000010
【図９】
2007309024.tif 000011
【図１０】
2007309024.tif 000012
【図１１】
2007309024.tif 000013
【図１２】
2007309024.tif 000014
【図１３】
2007309024.tif 000015